(57)【特許請求の範囲】
【請求項１】
カイコ休眠卵をジメチルスルホキシド含有液で処理することを特徴とするカイコ休眠卵の人工孵化方法。
【請求項２】
ジメチルスルホキシド含有液処理が、産下後２４時間以内である請求項１記載の人工孵化方法。
【請求項３】
ジメチルスルホキシド含有液中のジメチルスルホキシド濃度が５０〜１００質量％である請求項１又は２記載の人工孵化方法。
【請求項４】
ジメチルスルホキシド含有液による処理時間が１０〜１２０分である請求項１〜３のいずれか１項記載の人工孵化方法。
【発明の詳細な説明】
【技術分野】
【０００１】
本発明は、カイコ休眠卵の効率的な人工孵化方法及びカイコ休眠卵への簡便な化学物質の導入方法に関する。
【背景技術】
【０００２】
カイコは、完全変態の昆虫であり、産卵後休眠卵の状態で越冬し、数ヶ月後に孵化し、１齢幼虫から５齢幼虫で脱皮した後、蛹（さなぎ）になり、その後羽化する。５齢幼虫から蛹化する際に繭を作る。この繭が絹糸である。
【０００３】
休眠卵の場合産卵から孵化までの期間は通常数ヶ月ある。この間は、日本においては冬なので、幼虫のえさになる桑の葉がないため、問題がない。しかし、冬の間であっても桑の葉が存在する地域では、この期間は、養蚕ができない。そこで、インド、タイ、ベトナム等では休眠期のないカイコ（非休眠系統）が用いられているが、これらの系統では生産性および品質的にも劣っており、しかも一年中カイコ飼育すると、消毒期間が設けられないことによる病気の発生等の問題が発生している（特許文献１）。
従って、休眠性のある系統を用い、かつその期間を自由に制御できれば飼育計画も立て易くなり、生糸の生産性の向上や、品質低下の防止も期待できる。これらの観点から、休眠卵に何らかの処理をして人工的に孵化させる手段が必要とされている。
【０００４】
このような人工孵化手段としては、従来から休眠卵を塩酸水溶液に浸漬する、いわゆる浸酸処理法が知られている（特許文献１、２）。また、休眠卵に対して品質改良等の目的で化学物質を導入する手段としては、マイクロインジェクション法が用いられている（特許文献１、２）。
【先行技術文献】
【特許文献】
【０００５】
【特許文献１】特開２００２−６８９１６号公報
【特許文献２】特開２００３−８８２７４号公報
【発明の概要】
【発明が解決しようとする課題】
【０００６】
しかしながら、前述の浸酸処理法においては、浸酸処理の際に台紙から休眠卵の脱落を防ぐための前処理としてホルマリン処理や塩酸の比重を調整する等の操作が必要である。これらの薬品は劇物であることから、安全環境対策が必要となり、その経費や労力の負担軽減が求められている。
また、マイクロインジェクション法に関しては、カイコ卵は卵殻が厚く丈夫なため、卵殻を傷つけずに化学物質の導入を行うことは困難であった。
【０００７】
従って、本発明の課題は、簡便な操作で効率良く、カイコ休眠卵を人工的に孵化できる方法及び化学物質導入方法を提供することにある。
【課題を解決するための手段】
【０００８】
そこで本発明者は、休眠卵に対して種々の成分を接触させて休眠解除効果について検討してきたところ、休眠卵をジメチルスルホキシド含有液で処理すれば極めて高い確率で休眠が解除され、人工孵化できることを見出した。また、ジメチルスルホキシド含有液に対象化学物質を共存させれば、当該対象化学物質が効率良く人工孵化したカイコ卵中に導入されることも見出した。
【０００９】
すなわち、本発明は、カイコ休眠卵をジメチルスルホキシド含有液で処理することを特徴とするカイコ休眠卵の人工孵化方法を提供するものである。
また、本発明は、カイコ休眠卵を、対象化学物質及びジメチルスルホキシドの含有液で処理することを特徴とするカイコ卵への対象化学物質導入方法を提供するものである。
【発明の効果】
【００１０】
本発明の人工孵化方法によれば、産卵されたカイコ休眠卵をジメチルスルホキシド（ＤＭＳＯ）含有液に浸漬、又は当該液を塗布するだけで簡便かつ効率良く、休眠を解除でき人工孵化が可能であり、安全性も高い。またＤＭＳＯによる人工孵化は、産下後２４時間以内の時期に可能であり、従来の塩酸処理方法とは作用機序が相違する。また、本発明の化学物質導入方法によれば、高価な装置や熟練した技術が必要なく、効率良く、遺伝子や酵素阻害剤等の化学物質をカイコ卵に導入可能である。
【図面の簡単な説明】
【００１１】
【図１】種々の物質処理による孵化率を示す。
【図２】産下後ＤＭＳＯ処理までの時間と孵化率との関係を示す。
【図３】孵化率とＤＭＳＯ濃度との関係を示す。
【図４】ＤＭＳＯ浸漬時間と孵化率との関係を示す。
【発明を実施するための形態】
【００１２】
本発明の人工孵化方法は、カイコ休眠卵をＤＭＳＯ含有液で処理することを特徴とする。
用いられるカイコ休眠卵は、休眠系統のカイコの休眠卵であればよい。カイコの種類としては、Bombyx属に属するもの、例えばカイコガ以外に、クワコ等が挙げられる。
【００１３】
ＤＭＳＯ含有液による処理は、産下後２４時間以内のカイコ休眠卵に対して行うのが、孵化率の点から好ましい。産下後２４時間を超える休眠卵に対してＤＭＳＯ含有液処理しても十分な孵化率は得られない。一方、従来法の塩酸処理は産下後６０時間程度まで孵化可能である。このことから、本発明方法と塩酸処理による人工孵化の作用機序は相違するものと考えられる。
【００１４】
用いられるＤＭＳＯ含有液としては、ＤＭＳＯ水溶液又はＤＭＳＯ液が挙げられる。ＤＭＳＯ含有液中のＤＭＳＯ濃度は、孵化率の点から３０〜１００質量％が良く、特に７５〜１００質量％が好ましい。
【００１５】
ＤＭＳＯ含有液による処理の手段としては、休眠卵にＤＭＳＯ含有液が５分以上接触していればよく、例えば休眠卵をＤＭＳＯ含有液に浸漬する、休眠卵にＤＭＳＯ含有液を塗布する等の手段が挙げられる。ＤＭＳＯ含有液の使用量は、休眠卵１重量部あたり２重量部以上であればよく、特に５〜１０重量部であるのが好ましい。
【００１６】
ＤＭＳＯ含有液による休眠卵の処理時間（接触時間）は、５分以上であればよく、孵化率の点から１０〜１２０分が好ましく、特に３０〜４５分が好ましい。
【００１７】
ＤＭＳＯ含有液による処理は、室温、例えば１５〜３０℃の温度条件で行うことができ、特に２０〜２５℃が好ましい。
【００１８】
上記の休眠解除により人工的に孵化したカイコは、通常に１齢幼虫から５齢幼虫へと脱皮し、繭を形成し、変態する。従って、人工孵化後は、常法に従って飼育すればよい。
【００１９】
前述の人工孵化方法において、ＤＭＳＯ含有液中に対象化学物質を含有させておき、前記と同様の処理をすれば、当該対象化学物質をカイコ卵に効率良く導入することができる。用いられる対象化学物質としては、ＤＭＳＯ含有液に可溶性な化学物質全てであり、例えば外来遺伝子、変異誘発性物質、各種酵素阻害剤等が挙げられる。当該化学物質導入方法における処理時期、処理時間、処理量、処理温度等は前記の人工孵化方法と同様である。
【００２０】
対象化学物質のＤＭＳＯ含有液中の濃度は、特に限定されず、カイコ卵の孵化率に影響を及ぼす最低濃度から飽和溶液までであり、例えば０．００１〜６０質量％とすることができる。
【実施例】
【００２１】
次に実施例を挙げて、本発明をさらに詳細に説明するが、本発明はこれら実施例に限定されるものではない。
【００２２】
実施例１
産下後２０時間のカイコ二化性系統（大造種）の休眠卵１ｇに対し、２２％塩酸、７５％ＤＭＳＯ水溶液、７５％ジメチルホルムアミド（ＤＭＦ）水溶液、及び７５％ジメチルスルフィド（ＤＭＳ）水溶液を、それぞれ１０ｍＬずつ添加し、室温下４５分間浸漬した。その後、孵化した幼虫を数えることにより孵化率を測定した。
結果を図１に示す。図１から明らかなように、ＤＭＳＯ処理により塩酸処理とほぼ同じ効率で休眠が解除され、人工孵化することが判明した。ＤＭＳＯの類似化合物であるＤＭＦやＤＭＳではほとんど孵化しなかったことから、本発明の効果はＤＭＳＯ特異的であると考えられる。
【００２３】
実施例２
産下後０〜７２時間の大造種の休眠卵１ｇに対し、１００％ＤＭＳＯ水溶液を１０ｍＬ添加し、室温下３０分間浸漬した。その後、実施例１と同様にして孵化率を測定した。
結果を図２に示す。図２に示すように、産下後２４時間以内の休眠卵に対するＤＭＳＯ処理では高率で孵化したが、産下後２４時間経過後にＤＭＳＯ処理すると孵化率は大きく低下した。本発明方法による人工孵化は、休眠の初期過程にのみ作用していることが判明した。
【００２４】
実施例３
産下後１２時間の大造種の休眠卵１ｇに対し、０〜１００％ＤＭＳＯ水溶液を、それぞれ１０ｍＬずつ添加し、室温下３０分間浸漬した。その後、実施例１と同様にして孵化率を測定した。なお、同様の操作を非休眠卵に対しても行った。
結果を図３に示す。図３に示すように、休眠卵（Ｄｉａｐａｕｓｅ）では、ＤＭＳＯ濃度が５０質量％以上、さらに７５質量％以上、特に１００質量％で孵化率が向上した。一方、非休眠卵（Ｎｏｎ−ｄｉａｐａｕｓｅ）ではＤＭＳＯ濃度が高くなると逆に孵化率は低下した。
【００２５】
実施例４
産下後１２時間の大造種の休眠卵１ｇに対し、１００％ＤＭＳＯ水溶液を１０ｍＬ添加し、室温下０〜１２０分間浸漬した。その後、実施例１同様にして孵化率を測定した。  結果を図４に示す。図４に示すように、ＤＭＳＯ浸漬時間は５分以上、さらに１５〜１２０分、特に３０〜６０分で高い孵化率が得られた。
【図１】
0005678518.tif 000002
【図２】
0005678518.tif 000003
【図３】
0005678518.tif 000004
【図４】
0005678518.tif 000005